(57)【特許請求の範囲】
【請求項１】
魚釣りに用いる釣竿であって、
竿体と、
前記竿体の周面に設けられリールを装着可能なリールシートと、
前記竿体のリールシートの反対面にそれぞれ円周方向に分離し２箇所に形成されているグリップ片より長いグリップ固定面と、
前記各グリップ固定面の必要箇所にそれぞれ取付けられた複数の弾性部材を用いて形成されるグリップ片とを備えた釣竿。
【請求項２】
魚釣りに用いる釣竿であって、
竿体と、
前記竿体の周面に設けられリールを装着可能なリールシートと、
前記竿体のリールシートの反対面にそれぞれ円周方向に分離し２箇所に形成されている前グリップ片より長いグリップ固定面と、
前記各グリップ固定面の必要箇所にそれぞれ固定された複数の弾性部材を用いて形成される前グリップ片と、
前記リールシートが設けられた軸線上の前記竿体の竿元側端部周面に形成された第１グリップ固定面と、前記第１グリップ固定面に対して前記竿体の周面方向にそれぞれ離れて形成された第２及び第３グリップ固定面と、
前記第１〜第３グリップ固定面にそれぞれ固定された複数の弾性部材を用いて形成される第１〜第３グリップ片とを備えた釣竿。
【請求項３】
前記第１〜３グリップ固定面は、それぞれ前記竿体の軸方向にずれて形成されている、請求項２に記載の釣竿。
【発明の詳細な説明】
【０００１】
【発明の属する技術分野】
本発明は魚釣りに用いる釣竿に関する。
【０００２】
【従来の技術】
従来の釣竿は、竿体と、竿体の竿元側に配置されリールを装着するためのリールシートと、竿体の竿元側端部にはめ込まれて固定された蓋付き円筒型部材である竿元グリップと、竿体のリールシート付近に固定された前グリップとを有している。
【０００３】
この従来の釣竿では、ユーザは固定された竿元グリップ，前グリップを握ってキャスティングやリトリーブ等を行い、仕掛けにかかった魚を釣り上げる。
【０００４】
【発明が解決しようとする課題】
従来の円筒形のグリップを握ってキャスティングを行うと、グリップを握る手が竿体の円周方向に滑ってしまい、竿体が円周方向に微妙に回転し、ねらったポイントに仕掛けをうまく投げ入れられない場合があった。また、従来の円筒形のグリップでは、竿体の軸方向への手の滑りも十分に防止し難い。
【０００５】
さらに、右利きのユーザと左利きのユーザとでは、リールの脚及びリールシートを抑えつつ把持する前グリップを握る手が左右反対になり、最も大きなグリップ力が必要とされる箇所が異なる。ここで、左右対称に形成された従来の前グリップでは、それぞれのユーザーに十分に対応しがたい。
本発明の別の課題は、釣竿操作時に釣竿を握る手が周方向や軸方向へ滑るのを抑え、円滑に操作できる釣竿を提供することにある。
【０００６】
【課題を解決するための手段】
発明１にかかる釣竿は、魚釣りに用いる釣竿であって、竿体と、竿体の周面に設けられリールを装着可能なリールシートと、竿体のリールシートの反対面にそれぞれ円周方向に分離し２箇所に形成されているグリップ片より長いグリップ固定面と、各グリップ固定面の必要箇所にそれぞれ固定された複数の弾性部材を用いて形成されるグリップ片とを備えている。
【０００７】
この場合には、複数の弾性部材を用いて形成されるグリップ片が竿体の円周方向に分離して形成されているので、複数のグリップ片が円周方向の複数の箇所でユーザの手に接触する。この結果、グリップを握る手が円周方向に微妙にずれてしまうのを抑え、釣竿の操作性が向上する。また、複数の弾性部材を用いて形成されるグリップ片は竿体の軸方向にずれて配置されており、グリップを握る手が滑って釣竿の軸方向へずれてしまうのも防止する。
そして、ユーザが複数のグリップ固定面のそれぞれ任意の箇所にグリップ片を取り付けてグリップ位置を調節する。この結果、ユーザに最もフィットする位置で竿体を握ることが可能になり、竿体の操作性が向上する。また、いずれか任意の一方のグリップ片を穂先方向にずらして配置すると、右利き，左利きのいずれのユーザにも対応できる。
【０００８】
発明２にかかる釣竿は、魚釣りに用いる釣竿であって、竿体と、竿体の周面に設けられリールを装着可能なリールシートと、竿体のリールシートの反対面にそれぞれ円周方向に分離し２箇所に形成されている前グリップ片より長いグリップ固定面と、各グリップ固定面の必要箇所にそれぞれ固定された複数の弾性部材を用いて形成される前グリップ片と、リールシートが設けられた軸線上の前記竿体の竿元側端部周面に形成された第１グリップ固定面と、第１グリップ固定面に対して竿体の周面方向にそれぞれ離れて形成された第２及び第３グリップ固定面と、第１〜第３グリップ固定面にそれぞれ固定された複数の弾性部材を用いて形成される第１〜第３グリップ片とを備えている。
【０００９】
この場合には、前記に加えて、竿体の竿元側端部を握る際に、第１〜第３の３つのグリップ片が円周方向の複数の箇所でユーザの手に接触し、グリップを握る手が円周方向に微妙にずれてしまうのを抑える。なお、第１グリップ片に対して前記竿体の周面方向にそれぞれ離れて配置された第２及び第３グリップ片が、リールの脚部及びリールシートを握る手の前腕部を支持するので、釣竿の操作性がさらに向上する。
【００１０】
発明３にかかる釣竿は、第１〜第３グリップ固定面は、それぞれ記竿体の軸方向にずれて形成されている。
この場合、軸方向にずれて配置された第１〜第３グリップ片が、グリップを握る手の釣竿の軸方向へずれを防止する。
【００１３】
【発明の実施の形態】
以下、本発明の一実施形態について、図面を参照しつつ説明する。
本発明の一実施形態を採用した釣竿１０は、図１に示すように、複数の竿体からなり穂先側から順次収納可能な内部竿体１と、内部竿体１が挿入され収納可能なように内部竿体１の竿元側に連結された外部竿体２とを有している。内部竿体１及び外部竿体２は、それぞれ炭素繊維に強化樹脂を含浸させたプリプレグをマンドレルに巻回し焼成して得られた先細り筒状部材であって、内部にそれぞれ釣糸挿通通路２００（図３参照）を有している。また、内部竿体１の穂先側先端にはトップガイド３が設けられている。
【００１４】
外部竿体２は、竿元側端部に配置された尻栓４と、穂先側外周面に設けられ釣糸１００を釣糸挿通通路２００へ導入するための釣糸導入孔５と、尻栓４の穂先側に設けられリール６を装着するリールシート７と、釣糸導入孔５とリールシート７との間の外周面に設けられた釣糸案内部材８とを有している。そして、リール６からの釣糸１００は、釣糸案内部材８と釣糸導入孔５とを通って釣糸挿通通路２００へ挿通され、トップガイド３から外部へ導かれている。
【００１５】
また、外部竿体２のリールシート７付近の周面には、図２及び図３に詳しく示すように、前グリップ２１が取り付けられており、外部竿体２の竿元側端部の周面には、図４及び図５で詳しく示すように、竿元グリップ３１が取り付けられている。
図２及び図３に示すように、外部竿体２のリールシート７と反対側の周面は、他の部分に比べてやや膨らんでおり、２つの窪み部２ａが外部竿体２の軸方向から見て左右に対称に形成されている。また、前グリップ２１は１対のグリップ片２１ａ，２１ｂからなる部材である。１対のグリップ片２１ａ，２１ｂは、それぞれ軸方向に伸びた変形円筒形部材であって、窪み部２ａにはめ込んで接着剤で固定されている。このグリップ片２１ａ，２１ｂは、それぞれポリイソプレン，ポリブタジエン等のゴムからなる弾性部材や、ポリスチレン，フェノール樹脂等の合成樹脂部材を用いて形成される。ここで、穂先側（図２の右側）に向かって右側に位置するグリップ片２１ａは他方のグリップ片２１ｂより穂先側に位置するように軸方向へ互いにずれて固定されている。
【００１６】
また、図４及び図５に示すように、外部竿体２の竿元側の周面に配置される竿元グリップ３１は、第１〜第３グリップ片３１ａ〜３１ｃからなる部材である。この第１〜第３グリップ片３１ａ〜３１ｃも、上記前グリップ２１と同様に、それぞれポリイソプレン，ポリブタジエン等のゴムからなる弾性部材や、ポリスチレン，フェノール樹脂等の合成樹脂部材を用いて形成される。この第１グリップ片３１ａは、リールシート７が設けられた軸線上の外部竿体２の竿元側端部周面に接着剤で固定されている。そして、第２グリップ片３１ｂ及び第３グリップ片３１は、それぞれ外部竿体２の円周方向に分離しかつ軸方向にずれて接着剤で固定されている。具体的には、図５に示すように、第２，第３グリップ片３１ｂ，３１ｃは、第１グリップ片３１ａの反対面側に左右対称に配置されている。
【００１７】
このように構成された釣竿１０では、軸方向にずれて配置された前グリップ２１の２つのグリップ片２１ａ，２１ｂが、リール６の脚部及びリールシート７を握る際の指にフィットし、竿体の操作性が向上する。また、グリップ片２１ａがグリップ片２１ｂより穂先側に位置するように軸方向へ互いにずれて固定されているので、ユーザが右手でリール６の脚部及びリールシート７を握る場合、その右手の指に十分にフィットする。
【００１８】
なお、ユーザが左手でリール６の脚部及びリールシート７を握る場合は、グリップ片２１ａ，２１ｂを逆に配置する。即ち、グリップ片２１ｂを穂先側にずらして接着することにより、左手の指に十分にフィットするようになる。
また、竿元グリップ３１の第１〜第３グリップ片３１ａ〜３１ｃが、外部竿体２の竿元側端部を握るユーザの手に円周方向の複数の箇所で接触し、竿元グリップ３１を握る手が円周方向に微妙にずれてしまうのを抑える。さらに、第１グリップ片３１ａに対して第２，第３グリップ片３１ｂ，３１ｃが穂先側にずれて配置されているグリップ３１が、グリップ３１を把持する手の軸方向へのずれも防止する。さらにまた、リトリーブ時等において、第２及び第３グリップ片３１ｂ，３１ｃが、リール６の脚部及びリールシート７を握る手の前腕部を支持するので、釣竿の操作性がさらに向上する。
【００１９】
［その他の実施形態］
（ａ）上記実施形態においては、竿元グリップ３１の取り付け位置にグリップ片取付用の窪み部を形成していないが、所定の位置に窪み部を設けてもよい。このように窪み部を設けることで、グリップ片の竿体への付着安定性が向上する。
（ｂ）前グリップ及び竿元グリップの所定の位置に窪み部を設けて、ユーザがグリップ片を任意の位置に取り付けられるようにしてもよい。このようにすることで、各ユーザに最も適した位置にグリップを設けることができ、釣竿の操作性がさらに向上する。
（ｃ）グリップ片の形状は、三角柱，四角柱，円柱状等の様々な形状に成形してもよい。
（ｄ）本発明は「中通し竿」に限定されるものではなく、その他、並継ぎ竿等の竿にも適応できる。また、特にリールシートを有さない釣竿に適応してもよい。
【００２０】
【発明の効果】
本発明にかかる釣竿では、竿体の周面に竿体の円周方向に分離しかつ竿体の軸方向にずれて配置された複数のグリップ片からなるグリップとを備えているので、操作時に釣竿を握る手が周方向及び軸方向へ滑るのを抑え、円滑に操作できる。
【図面の簡単な説明】
【図１】本発明の一実施形態を採用した釣竿の全体図。
【図２】図１のリールシート付近の拡大図。
【図３】図２のIII −III 断面図。
【図４】図１の竿元側端部付近の拡大図。
【図５】図４のＶ−Ｖ断面図。
【符号の説明】
１  内部竿体
２  外部竿体
６  リール
７  リールシート
２１  前グリップ
３１  竿元グリップ
【図１】
0004076031.tif 000002
【図２】
0004076031.tif 000003
【図３】
0004076031.tif 000004
【図４】
0004076031.tif 000005
【図５】
0004076031.tif 000006